(57)【要約】【課題】ブロックにヒートパイプを小さな加圧力で固定することができるとともに、ブロックの強度が小さくてもブロックの変形を防止することができ、設計の自由度を著しく向上させるとともに、低い製造コストで熱性能の向上を図ることのできるヒートパイプの固定構造を提供する。【解決手段】ブロック１０の表面に開口する開口部１４が形成された穴１２を備え、開口部１４の幅寸法は、穴１２の内面幅寸法より小さく形成されるとともに、ヒートパイプ２０は、その最も大きい外形寸法が、穴１２の内面幅寸法より小さく、かつ、開口部１４の幅寸法より大きく形成され、穴１２に挿入されたヒートパイプ２０を開口部１４から穴１２の内側に向かって押し込み変形させてヒートパイプ２０を固定する。これにより、ブロックの強度を大きくしなくても、ブロックの変形が生じることがなく、熱性能の向上と設計の自由度の向上を図ることができる。【選択図】図１
2015169390.tif 000002
【特許請求の範囲】
【請求項１】
ブロックの表面に開口する開口部が形成された穴を備え、前記開口部の幅寸法は、前記穴の内面幅寸法より小さく形成されるとともに、ヒートパイプは、その最も大きい外形寸法が、前記穴の内面幅寸法より小さく、かつ、前記開口部の幅寸法より大きく形成され、
前記穴に挿入された前記ヒートパイプを前記開口部から前記穴の内側に向かって押し込み変形させて前記ヒートパイプを固定することを特徴とするヒートパイプの固定構造。
【請求項２】
前記ブロックの前記穴は、断面形状ほぼ円形状に形成されていることを特徴とする請求項１に記載のヒートパイプの固定構造。
【請求項３】
前記ブロックの前記穴は、断面形状楕円形状もしくは長円形状に形成されていることを特徴とする請求項１に記載のヒートパイプの固定構造。
【請求項４】
前記ブロックの前記ブロックに複数の前記穴が形成されていることを特徴とする請求項１から請求項３のいずれか一項に記載のヒートパイプの固定構造。
【請求項５】
前記ブロックの前記各穴の前記開口部は、前記ブロックの互いに対向する面に形成されていることを特徴とする請求項４に記載のヒートパイプの固定構造。
【請求項６】
前記ヒートパイプの前記開口部における押し込み形成部分に、凹部が形成されていることを特徴とする請求項１から請求項５のいずれか一項に記載のヒートパイプの固定構造。
【請求項７】
表面に開口する開口部が形成された穴を備え、前記開口部は、前記穴の内面幅寸法より小さく形成されたブロックの前記穴に、最も大きい幅寸法が、前記穴の内面幅寸法より小さく、かつ、前記開口部の幅寸法より大きく形成されたヒートパイプを挿入し、この状態で、前記ヒートパイプを前記開口部から前記穴の中心に向かって押し込み変形させて前記ヒートパイプを固定することを特徴とするヒートパイプの固定方法。
【発明の詳細な説明】
【技術分野】
【０００１】
本発明は、ヒートパイプの固定構造におよびヒートパイプの固定方法係り、特に、パソコンの電子機器などの被冷却部材に接触される冷却用のブロックにヒートパイプを固定するためのヒートパイプの固定構造およびヒートパイプの固定方法に関するものである。
【背景技術】
【０００２】
近年、電子機器のデジタル化の進展で、被冷却部材である電子部品が増加していることに伴い、この被冷却部材を効率よく冷却する必要がある。このような被冷却部材を冷却する手段として、被冷却部材に密着させるブロックにヒートパイプを固定し、ヒートパイプを用いてブロックを冷却することにより、被冷却部材を冷却することが行われている。
【０００３】
この場合において、ブロックとヒートパイプとを固定する際に、その接合が十分でないと、ブロックとヒートパイプとの熱抵抗が増大してしまい、効率のよい冷却を行うことができないという問題がある。
【０００４】
このようなヒートパイプを固定する技術として、従来、例えば、プレートに溝を形成し、当該溝の中にヒートパイプの少なくとも一部を挿入した状態で、ヒートパイプとプレートとを共に加熱し、該加熱中あるいは加熱後にヒートパイプを圧接変形させことにより、当該ヒートパイプとプレートとを密接合するようにした技術が開示されている（例えば、特許文献１を参照）。
【０００５】
また、ヒートパイプを固定するその他の技術として、従来、例えば、平板状ブロックの一方の面側に形成された取付溝部の内部にヒートパイプを配設し、固定用ツメ部を取り付け溝部の内側に折り曲げることにより、ヒートパイプの一体に係合させてヒートパイプを固定するようにした技術が開示されている（例えば、特許文献２を参照）。
【０００６】
さらに、ヒートパイプを固定するその他の技術として、従来、例えば、伝熱台の溝部にヒートパイプを押し付けることにより、溝部に形成された固定リブがヒートパイプに食い込ませて、ヒートパイプを固定するようにした技術が開示されている（例えば、特許文献３を参照）。
【先行技術文献】
【特許文献】
【０００７】
【特許文献１】特開２００１−１３５９６６号公報
【特許文献２】特開２００１−２４８９８２号公報
【特許文献３】実用新案登録第３１７０７５７号公報
【発明の概要】
【発明が解決しようとする課題】
【０００８】
しかしながら、前記特許文献１に記載の発明においては、溝の中にヒートパイプの少なくとも一部を挿入した状態で、ヒートパイプを圧接変形させことにより、ヒートパイプとプレートとを密接合するようにしているので、ヒートパイプがプレートから外れやすく、しかも、ヒートパイプおよびプレートを加熱する必要があるため、製造が面倒であるという問題を有している。また、特許文献１には、ヒートパイプとプレートとを接着剤により接着して固定する技術も開示されているが、接着剤を使用した場合、製造コストが高くなり、また、熱伝導性の接着剤を使用しても熱抵抗が高くなってしまうという問題を有している。
【０００９】
さらに、特許文献１には、プレートの溝の断面の延長端部に、ヒートパイプを固定するための突起を設け、この突起を押しつぶすことにより、ヒートパイプをプレートに固定する技術も開示されている。しかしながら、このような突起は、変形しやすくするため薄くかつ細く形成する必要があり、突起を形成するためには、安価な押し出し成型により製造することができず、高価な切削加工などが必要となり、製造コストが高くなってしまうという問題を有している。また、突起を押しつぶす必要があることから、大きな加圧力を有する大型のプレス加工機械などが必要となるという問題を有しており、さらに、このような加圧力に耐える必要があるため、プレートの厚さ、特に、溝底面の厚さをある程度厚くする必要があり、冷却の効率が低下してしまうという問題をも有している。
【００１０】
また、前記特許文献２に記載の発明においては、固定用ツメ部を形成する必要があるため、ブロックの加工が困難であり、しかも、ブロックを変形させる必要があることから、大きな加圧力が必要であり、やはり、製造コストが高くなってしまうという問題を有している。
【００１１】
さらに、前記特許文献３に記載の発明においては、ヒートパイプを変形させるものであるため、大きな加圧力は必要ではないが、伝熱台に固定リブを形成する必要があるため、やはり、伝熱台の製造が困難であり、固定リブに沿ってヒートパイプを変形させることが難しいという問題を有している。
【００１２】
本発明は、前記した点に鑑みてなされたものであり、ブロックにヒートパイプを小さな加圧力で固定することができるとともに、ブロックの強度が小さくてもブロックの変形を防止することができ、設計の自由度を著しく向上させるとともに、低い製造コストで熱性能の向上を図ることのできるヒートパイプの固定構造およびヒートパイプの固定方法を提供することを目的とするものである。
【課題を解決するための手段】
【００１３】
前記目的を達成するために本発明に係るヒートパイプの固定構造は、ブロックの表面に開口する開口部が形成された穴を備え、前記開口部の幅寸法は、前記穴の内面幅寸法より小さく形成されるとともに、ヒートパイプは、その最も大きい外形寸法が、前記穴の内面幅寸法より小さく、かつ、前記開口部の幅寸法より大きく形成され、
前記穴に挿入された前記ヒートパイプを前記開口部から前記穴の内側に向かって押し込み変形させて前記ヒートパイプを固定することを特徴とする。
【００１４】
この構成によれば、ブロックに開口部を有する穴を形成するとともに、この穴にヒートパイプを挿入した状態で、開口部に露出しているヒートパイプのみを押し込み変形させることにより、ブロックにヒートパイプを固定するようにしているので、ブロックに大きな力が加わることがなく、ブロックの強度を大きくしなくても、ブロックの変形が生じることがない。そのため、ブロック自体の強度が小さくてよいので、ブロックの穴の最奥部の厚さ寸法を小さく形成しても、ブロックが変形してしまうことがなく、しかも、このように構成することにより、ヒートパイプによる冷却効率を著しく高めることができ、熱性能の向上と設計の自由度を著しく向上させることができる。
【００１５】
また、本発明は、前記構成において、前記ブロックの前記穴は、断面形状ほぼ円形状に形成されていることを特徴とする。この構成によれば、断面形状ほぼ円形状の穴にヒートパイプを押し付け変形させて固定することができる。
【００１６】
また、本発明は、前記構成において、前記ブロックの前記穴は、断面形状楕円形状に形成されていることを特徴とする。この構成によれば、断面形状楕円形状の穴にヒートパイプを押し付け変形させて固定することができる。
【００１７】
また、本発明は、前記構成において、前記ブロックに複数の前記穴が形成されていることを特徴とする。この構成によれば、ブロックに複数の穴を形成することにより、ブロックに複数のヒートパイプを固定することができる。
【００１８】
また、本発明は、前記構成において、前記ブロックの前記各穴の前記開口部は、前記ブロックの互いに対向する面に形成されていることを特徴とする。この構成によれば、互いに対向する面の開口部からヒートパイプを押し込み変形させることができる。
【００１９】
また、本発明は、前記構成において、前記ヒートパイプの前記開口部における押し込み形成部分に、凹部が形成されていることを特徴とする。この構成によれば、凹部が形成されるように押し込み変形させることにより、ヒートパイプを固定することができる。
【００２０】
また、本発明に係るヒートパイプの固定方法は、表面に開口する開口部が形成された穴を備え、前記開口部は、前記穴の内面幅寸法より小さく形成されたブロックの前記穴に、最も大きい幅寸法が、前記穴の内面幅寸法より小さく、かつ、前記開口部の幅寸法より大きく形成されたヒートパイプを挿入し、この状態で、前記ヒートパイプを前記開口部から前記穴の中心に向かって押し込み変形させて前記ヒートパイプを固定することを特徴とする。
【００２１】
この構成によれば、ブロックに開口部を有する穴を形成するとともに、この穴にヒートパイプを挿入した状態で、開口部に露出しているヒートパイプのみを押し込み変形させることにより、ブロックにヒートパイプを固定するようにしているので、ブロックに大きな力が加わることがなく、ブロックの強度を大きくしなくても、ブロックの変形が生じることがない。そのため、ブロック自体の強度が小さくてよいので、ブロックの穴の最奥部の厚さ寸法を小さく形成しても、ブロックが変形してしまうことがなく、しかも、このように構成することにより、ヒートパイプによる冷却効率を著しく高めることができ、熱性能の向上と設計の自由度を著しく向上させることができる。
【発明の効果】
【００２２】
本発明によれば、開口部に露出しているヒートパイプのみを押し込み変形させることにより、ブロックにヒートパイプを固定するようにしているので、ブロックに大きな力が加わることがなく、ブロックの強度を大きくしなくても、ブロックの変形が生じることがない。そのため、ブロック自体の強度が小さくてよく、ブロックの穴の最奥部の厚さ寸法を小さくしても、ブロックが変形してしまうことがなく、しかも、ヒートパイプによる冷却効率を著しく高めることができ、熱性能の向上と設計の自由度を著しく向上させることができる。
【００２３】
また、ブロックに特殊な形状を形成する必要がなく、比較的硬い材料によりブロックを形成した場合でも、切削加工を用いることなく、押し出し成型などの塑性加工や鋳造加工などにより容易に加工することができ、製造コストを著しく低減させることができる。また、ブロックにヒートパイプを固定する際に、ヒートパイプのみを押し込み変形させるものであるため、変形加工時に必要な力が少なくて済み、安価な加工装置で押し込み変形が可能となり、製造コストを低減させることができる。
【図面の簡単な説明】
【００２４】
【図１】本発明に係るヒートパイプの固定構造の第１実施形態を示す概略斜視図である。
【図２】本発明に係るヒートパイプの固定構造の図１のブロック部分の正面図である。
【図３】本発明に係るヒートパイプの固定構造の第１実施形態を示す押し込み変形前の概略斜視図である。
【図４】本発明に係るヒートパイプの固定構造の図３のブロック部分の正面図である。
【図５】本発明に係るヒートパイプの固定構造におけるヒートパイプに凹部を形成した例を示す概略斜視図である。
【図６】本発明に係るヒートパイプの固定構造の図５のブロック部分の正面図である。
【図７】本発明に係るヒートパイプの固定構造におけるブロックの側面に開口部を形成した例を示す概略斜視図である。
【図８】本発明に係るヒートパイプの固定構造の図７のブロック部分の正面図である。
【図９】本発明に係るヒートパイプの固定構造における穴を横型断面形状楕円形状に形成した例を示すブロック部分の正面図である。
【図１０】本発明に係るヒートパイプの固定構造における穴を縦型断面形状楕円形状に形成した例を示すブロック部分の正面図である。
【図１１】本発明に係るヒートパイプの固定構造における断面形状楕円形状の穴とヒートパイプとを組み合わせた例を示すブロック部分の正面図である。
【図１２】本発明に係るヒートパイプの固定構造の第２実施形態を示す概略斜視図である。
【図１３】本発明に係るヒートパイプの固定構造の図１２のブロック部分の正面図である。
【発明を実施するための形態】
【００２５】
以下、本発明を実施の形態について、図面を参照して説明する。
図１および図２は、本発明に係るヒートパイプの固定構造の第１実施形態を示したものであり、図１は概略斜視図であり、図２は図１のブロック部分の正面図である。
【００２６】
図１に示すように、本実施形態においては、例えば、発熱する電子機器などの被冷却部材（図示せず）に密着させるブロック１０を備えている。また、このブロック１０には、所定の冷媒が流れる断面形状円形状のヒートパイプ２０の一端部が固定されており、ヒートパイプ２０の他端部には、放熱用のフィン３０が取付けられている。このブロック１０は、例えば、銅またはアルミニウムなどの熱伝導性に優れた材料により形成されるものであり、ヒートパイプ２０は銅などから形成されている。
【００２７】
図１および図２に示すように、本実施形態においては、ブロック１０は、断面形状ほぼ円形状を有し、ブロック１０の両端面に開口する穴１２を有しており、この穴１２は、ブロック１０の、図１において上面に開口する開口部１４を備えている。なお、開口部１４の開口寸法、すなわち、開口部１４の幅寸法は、任意に設定することができるものであり、ヒートパイプ２０の押し込み変形加工をするための押圧加工装置の大きさなどを考慮して設定することができる。また、開口部１４の幅寸法は、ヒートパイプ２０の最も大きい幅寸法であるヒートパイプ２０の直径より短く形成されていれば、穴１２の内部にヒートパイプ２０を保持することができるので、開口部１４の最大幅寸法は、ヒートパイプ２０の直径より短く形成される。
【００２８】
一方、ヒートパイプ２０の最も大きい幅寸法であるヒートパイプ２０の直径は、穴２０の内面幅寸法である穴１２の内径よりわずかに小さく形成されており、図３および図４に示すように、ブロック１０の穴１２の一端面から軸方向にヒートパイプ２０を挿入した場合に、ヒートパイプ２０の外周面の一部が穴１２の開口部１４からわずかに突出して外部に露出する状態に保持されるように構成されている。
【００２９】
そして、図４に示すように、ヒートパイプ２０の露出した部分を、図示しないプレス加工装置などの押圧加工装置を用いて押圧することにより、ヒートパイプ２０の突出部分をヒートパイプ２０の中心軸方向に押し込み変形させるように構成されている。これにより、図２に示すように、ヒートパイプ２０の開口部１４から露出した部分が平面状に変形して穴１２の開口部１４とほぼ面一に形成されるとともに、穴１２の内側に位置するヒートパイプ２０が広がり変形することにより、ヒートパイプ２０の外周面と、穴１２の内周面とが密着してヒートパイプ２０を固定するように構成されている。
【００３０】
ここで、ヒートパイプ２０のすべての外周面がすべて穴１２の内周面に密着している必要はない。また、ヒートパイプ２０は、内部に冷媒が流通する空間が確保することができれば、ヒートパイプ２０が押し込み変形されたとしても、十分に冷却能力を確保することができる。
【００３１】
次に、ヒートパイプ２０をブロック１０に固定する方法について説明する。
本実施形態においては、まず、ブロック１０の穴１２の一端面から軸方向にヒートパイプ２０を挿入し、ヒートパイプ２０の外周面の一部が穴１２の開口部１４からわずかに突出して外部に露出する状態に保持する。
【００３２】
その後、ヒートパイプ２０の露出した部分を、図示しないプレス加工装置などの押圧加工装置を用いて押圧し、ヒートパイプ２０の突出部分をヒートパイプ２０の中心軸方向に押し込み変形させる。このように押し込み変形させることにより、ヒートパイプ２０の開口部１４から露出した部分を平面状に変形させて穴１２の開口部１４とほぼ面一に形成するとともに、穴１２の内側に位置するヒートパイプ２０が広がり変形することにより、ヒートパイプ２０の外周面と、穴１２の内周面とが密着してヒートパイプ２０を固定するものである。
【００３３】
次に、本実施形態の作用について説明する。
本実施形態においては、ヒートパイプ２０の内部に所定の冷媒を流すことにより、ブロック１０を通過する際に、ブロック１０に熱伝達され、ブロック１０を冷却することにより、所定の被冷却部材を冷却するようになっている。そして、ブロック１０を冷却した冷媒は気化し、ヒートパイプ２０の内部を流れ、フィン３０により放熱されて冷却されるようになっている。
【００３４】
そして、本実施形態においては、ヒートパイプ２０のみを押し込み変形させるものであり、ブロック１０自体を加工するものではないため、ブロック１０を加工するための大型の加工機械などが不要となり、その結果、ブロック１０に大きな力が加わることがなく、ブロック１０の強度を大きくしなくても、ブロック１０の変形が生じることがない。そのため、ブロック１０自体の強度が小さくてよいので、例えば、ブロック１０の穴１２の最奥部とブロック１０の開口部１４と反対側の面との間の寸法を小さく形成しても、ブロック１０が変形してしまうことがなく、加工上何ら問題が生じない。そして、このようにブロック１０の穴１２の最奥部とブロック１０の開口部１４と反対側の面との間の寸法を小さく形成することにより、ヒートパイプ２０の温度がブロック１０の開口部１４と反対側の面に伝達されやすくなるので、ブロック１０の開口部１４と反対側の面に被冷却部材を密着させた場合に、ヒートパイプ２０による冷却効率を著しく高めることができ、熱性能の向上と設計の自由度を著しく向上させることができるものである。
【００３５】
また、本実施形態においては、ブロック１０に開口部１４を有する穴１２を形成するだけでよく、突起など特殊な形状を形成する必要がないので、ブロック１０にアルミニウムなどの比較的柔らかい材料を用いる場合のみならず、例えば、銅などの比較的塑性加工しにくい材料を用いた場合でも、切削加工を用いることなく、押し出し成型などの塑性加工や鋳造成型により容易に加工することができる。また、ブロック１０にヒートパイプ２０を固定する際に、ヒートパイプ２０のみを押し込み変形させるものであるため、変形加工時に必要な力が少なくて済み、例えば、エアプレスなどの安価な加工装置で押し込み変形が可能となる。
【００３６】
以上述べたように、本実施形態においては、ブロック１０に開口部１４を有する穴１２を形成するとともに、この穴１２にヒートパイプ２０を挿入した状態で、開口部１４に露出しているヒートパイプ２０のみを押し込み変形させることにより、ブロック１０にヒートパイプ２０を固定するようにしているので、ブロック１０に大きな力が加わることがなく、ブロック１０の強度を大きくしなくても、ブロック１０の変形が生じることがない。そのため、ブロック１０自体の強度が小さくてよいので、ブロック１０の穴１２の最奥部とブロック１０の開口部１４と反対側の面との間の寸法を小さく形成しても、ブロック１０が変形してしまうことがなく、しかも、このように構成することにより、ヒートパイプ２０による冷却効率を著しく高めることができ、熱性能の向上と設計の自由度を著しく向上させることができる。
【００３７】
また、ブロック１０に特殊な形状を形成する必要がなく、比較的塑性加工しにくい材料によりブロック１０を形成した場合でも、切削加工を用いることなく、押し出し成型などの塑性加工や鋳造成型により容易に加工することができ、製造コストを著しく低減させることができる。さらに、ブロック１０にヒートパイプ２０を固定する際に、ヒートパイプ２０のみを押し込み変形させるものであるため、変形加工時に必要な力が少なくて済み、安価な加工装置で押し込み変形が可能となり、製造コストを低減させることができる。
【００３８】
なお、前記第１実施形態においては、図２に示すように、ヒートパイプ２０を押し込み変形させることにより、ヒートパイプ２０の開口部１４から露出した部分を平面状に変形させるようにしているが、例えば、図５および図６に示すように、ヒートパイプ２０を押し込み変形させる際に、開口部１４において、ヒートパイプ２０の押し込み部分に、凹部２２が形成されるように変形させるようにしてもよい。
【００３９】
また、前記第１実施形態においては、ブロック１０の最も広い面積の平面に開口部１４を形成するようにしているが、例えば、図７および図８に示すように、ブロック１０の一側面に開口部１４を形成するようにしてもよい。この場合に、ブロック１０を平均的に冷却するためヒートパイプ２０をブロック１０のほぼ中央に位置させる必要があることから、開口部１４とヒートパイプ２０との間に所定の距離が形成されることになるが、押圧加工装置が開口部１４からヒートパイプ２０に至るまで入り込む治具などを使用することにより、ヒートパイプ２０を押し込み変形させることができるものである。
【００４０】
また、前記第１実施形態においては、ブロック１０の穴１２の形状を断面形状ほぼ円形状の場合について説明したが、穴１２の断面形状を楕円形状に形成するようにしてもよい。すなわち、図９に示すように、穴１２の断面形状を、横長の楕円形状に形成することもできるし、図１０に示すように、縦長の楕円形状に形成することもできる。この場合に、ヒートパイプ２０の断面形状を円形状ではなく、楕円形状に形成するようにしてもよい。この場合に、図１１に示すように、穴１２の断面形状が横長の楕円形状の場合、開口部１４の幅寸法より短い短径を有する楕円形状のヒートパイプ２０を用いるようにすれば、開口部１４からヒートパイプ２０を挿入することが可能となる。さらに、図示しないが、ブロック１０の穴１２の形状を断面形状長円形状に形成するようにしてもよいし、ヒートパイプ２０の断面形状長円形状に形成するようにしてもよい。
【００４１】
次に、本発明の第２実施形態について、図１２および図１３を参照して説明する。
【００４２】
本実施形態においては、ブロック１０に複数（本実施形態においては、２つ）の穴１２を形成した場合の例を示している。本実施形態においては、ブロック１０に断面形状ほぼ円形状を有する２つの穴１２が形成されており、これら各穴１２は、その開口部１４がそれぞれブロック１０の両側面にそれぞれ開口するように形成されている。
【００４３】
そして、前記第１実施形態の場合と同様に、ヒートパイプ２０の開口部１４から露出した部分を、図示しない押圧加工装置を用いて押圧することにより、ヒートパイプ２０の突出部分をヒートパイプ２０の中心軸方向に押し込み変形させて、ブロック１０にヒートパイプ２０を固定するように構成されている。この場合に、本実施形態においては、ヒートパイプ２０は、その開口部１４から露出した部分が穴１２の内部で平面状に変形するようになっているが、前記第１実施形態と同様に、ブロック１０の両側面と面一となるように変形させるようにしてもよい。
【００４４】
また、押し込み変形加工については、各穴１２のヒートパイプ２０を別個に押し込み変形させるようにしてもよいし、２つの穴１２のヒートパイプ２０を同時に押し込み変形させるようにしてもよい。
その他の部分は、前記第１実施形態のものと同様であるため、同一部分には、同一符号を付してその説明を省略する。
【００４５】
本実施形態においても前記第１実施形態と同様に、各ヒートパイプ２０の内部に所定の冷媒を流すことにより、ブロック１０を通過する際に、ブロック１０に熱伝達され、ブロック１０を冷却することにより、所定の被冷却部材を冷却するようになっている。そして、ブロック１０を冷却した冷媒は気化し、ヒートパイプ２０の内部を流れ、フィン３０により放熱されて冷却されるようになっている。そして、ヒートパイプ２０を２本設けることにより、ブロック１０の冷却効率をさらに向上させたり、熱輸送量を増大させたりすることができるものである。
【００４６】
以上述べたように、本実施形態においては、ブロック１０に開口部１４を有する穴１２を形成するとともに、この穴１２にヒートパイプ２０を挿入した状態で、開口部１４に露出しているヒートパイプ２０を押し込み変形させることにより、ブロック１０にヒートパイプ２０を固定するようにしているので、ブロック１０に大きな力が加わることがなく、ブロック１０の強度を大きくしなくても、ブロック１０の変形が生じることがない。そのため、ブロック１０自体の強度が小さくてよいので、ブロック１０の穴１２の最奥部とブロック１０の開口部１４と反対側の面との間の寸法を小さく形成しても、ブロック１０が変形してしまうことがなく、しかも、このように構成することにより、ヒートパイプ２０による冷却効率を著しく高めることができ、熱性能の向上と設計の自由度を著しく向上させることができる。
【００４７】
また、ブロック１０に特殊な形状を形成する必要がなく、比較的塑性加工しにくい材料によりブロック１０を形成した場合でも、切削加工を用いることなく、押し出し成型などの塑性加工や鋳造成型により容易に加工することができ、製造コストを著しく低減させることができる。さらに、ブロック１０にヒートパイプ２０を固定する際に、ヒートパイプ２０のみを押し込み変形させるものであるため、変形加工時に必要な力が少なくて済み、安価な加工装置で押し込み変形が可能となり、製造コストを低減させることができる。
【００４８】
なお、本発明は前記実施形態に限定されるものではなく、本発明の趣旨に基づいて種々の変形が可能である。例えば、１つのブロック１０に対して３本以上のヒートパイプ２０を固定するようにしてもよいし、開口部１４の形成箇所も任意の位置に設定することができる。さらに、ブロック１０の穴１２の形状とヒートパイプ２０の形状も任意に組み合わせることができる。
【符号の説明】
【００４９】
１０  ブロック
１２  穴
１４  開口部
２０  ヒートパイプ
２２  凹部
３０  フィン
【図１】
2015169390.tif 000003
【図２】
2015169390.tif 000004
【図３】
2015169390.tif 000005
【図４】
2015169390.tif 000006
【図５】
2015169390.tif 000007
【図６】
2015169390.tif 000008
【図７】
2015169390.tif 000009
【図８】
2015169390.tif 000010
【図９】
2015169390.tif 000011
【図１０】
2015169390.tif 000012
【図１１】
2015169390.tif 000013
【図１２】
2015169390.tif 000014
【図１３】
2015169390.tif 000015